(57)【要約】  紙製品を分配するのに適したモータと、制御装置と、を含む紙製品ディスペンサーである。ネットワークインターフェースカードは、制御装置と通信し、ネットワークに紙製品ディスペンサーを接続するのに適している。紙製品の長さ、およびモータが起動する間の間隔の長さを調節するために、ＤＩＰスイッチがモータに接続される。パワーローラーがモータに接続され、アイドルローラーがパワーローラーと向き合う。紙製品はパワーローラーとアイドルローラーとの間を通る。紙製品の存在または不足を検知するために、紙用センサがパワーローラーの下に位置する。サーモパイルセンサも、ディスペンサーに隣接する人間の存在を検知するために備えられる。【選択図】図１
2018516148.tif 000002
【特許請求の範囲】
【請求項１】
紙製品ディスペンサーであって、該紙製品ディスペンサーが、
第１の紙製品を分配するのに適した第１のモータと；
第２の紙製品を分配するのに適した第２のモータと；
第１のモータ、および第２のモータにより分配された紙の長さを調節するのに適した、第１のモータ、および第２のモータに接続された、第１のデュアルインラインパッケージスイッチと；
第１のモータ、または第２のモータが起動する間の間隔を調節するのに適した、第１のモータ、および第２のモータに接続された、第２のデュアルインラインパッケージスイッチと；
分配する紙の量を決定し、かつ分配された紙の量があらかじめ決められた閾値に達するときに停止信号を送信するように構成されたセンサと；
センサと通信し、停止信号を受信するのに適した制御装置であって、制御装置は、分配された第１の紙製品の量に関する停止信号を受信するとき第２のモータを起動し、分配された第２の紙製品の量に関する停止信号を受信するとき第１のモータを起動する、制御装置と、
を含むことを特徴とする、紙製品ディスペンサー。
【請求項２】
制御装置が、ネットワークに紙製品ディスペンサーを接続するのに適した通信装置を含むことを特徴とする、請求項１に記載の紙製品ディスペンサー。
【請求項３】
制御装置と通信し、紙の存在および不足を検知するのに適した紙切れセンサをさらに含み、紙切れセンサが紙の不足を検知するとき、制御装置へ信号を送信し、ネットワークに接続される装置により受信することができるサービス信号を、ネットワークを介して送信することを特徴とする、請求項２に記載の紙製品ディスペンサー。
【請求項４】
制御装置と通信し、紙製品ディスペンサーに隣接する人間を検知するのに適したサーモパイルセンサをさらに含み、サーモパイルセンサが人間を検知するとき、制御装置へ信号を送信し、制御装置は信号を処理し、ネットワークへ送信される占有データを生成するために信号をコンパイルすることを特徴とする、請求項２に記載の紙製品ディスペンサー。
【請求項５】
前面カバーおよびメインシャシーをさらに含み、前面カバーおよびメインシャシーは、ディスペンサーおよび前面カバーの開位置を検知するのに適した前面カバーセンサを囲み、前面カバーセンサは制御装置と通信し、前面カバーが開放位置にあるとき、前面カバーセンサは制御装置へ信号を送信し、制御装置はネットワークに接続されるデバイスにより受信することができるサービス信号を、ネットワークを介して送信することを特徴とする、請求項２に記載の紙製品ディスペンサー。
【請求項６】
制御装置に接続され、ディスペンサーの状態の表示を提供するのに適したＬＥＤをさらに含むことを特徴とする、請求項１に記載の紙製品ディスペンサー。
【請求項７】
制御装置と通信する紙切れセンサをさらに含み、紙切れセンサは紙の存在および不足を検知するのに適し、紙切れセンサが紙の不足を検知するとき制御装置へ信号を送信し、制御装置は信号を受信した後にＬＥＤを起動することを特徴とする、請求項６に記載の紙製品ディスペンサー。
【請求項８】
前面カバーおよびメインシャシーをさらに含み、前面カバーおよびメインシャシーは、ディスペンサー、および前面カバーの開位置を検知するのに適した前面カバーセンサを囲み、前面カバーセンサは制御装置と通信し、前面カバーが開位置にあるとき、前面カバーセンサは制御装置へ信号を送信し、制御装置は信号を受信した後にＬＥＤを起動することを特徴とする、請求項６に記載の紙製品ディスペンサー。
【請求項９】
バッテリーと；
バッテリー、制御装置、およびＬＥＤに接続されたバッテリーメーターであって、バッテリーメーターが、バッテリーのバッテリーパワーの量を測定するのに適し、バッテリーメーターがバッテリーパワーのあらかじめ決められた閾値を感知したとき、制御装置へ信号を送信し、制御装置は信号を受信した後にＬＥＤを起動する、バッテリーメーターと、
をさらに含むことを特徴とする、請求項６に記載の紙製品ディスペンサー。
【請求項１０】
トイレットペーパーディスペンサーであって、該トイレットペーパーディスペンサーが：
トイレットペーパーロールを保持し、分配するのに適したトイレットペーパー軸と；
トイレットペーパー軸に接続された少なくとも１つのモータと；
モータに接続された制御装置と；
制御装置に接続され、動きを検知するのに適した赤外線センサであって、動きを検知すると、赤外線センサは制御装置へ信号を送信し、制御装置はトイレットペーパーロールからトイレットペーパーを分配するためにモータを起動するのに適した、赤外線センサと；
トイレットペーパーディスペンサーに隣接する人間を検知するのに適した制御装置と通信するサーモパイルセンサであって、サーモパイルセンサが人間を検知したとき、制御装置へ信号を送信する、サーモパイルセンサと、
前面カバーと；
メインシャシーであって、前面カバーおよびメインシャシーが、トイレットペーパーロール、モータ、制御装置、および赤外線センサを囲む、密閉された包囲体を形成し、メインシャシーが、紙裁断機、および紙の通路を規定するベース部を含む、メインシャシーと；
汚染物質からトイレットペーパーロールを保護するのに適した前面カバーとメインシャシーの間の防水シールと、
を含むことを特徴とする、トイレットペーパーディスペンサー。
【請求項１１】
制御装置が、モータにより分配されるトイレットペーパーの長さを調節するのに適したデュアルインラインパッケージスイッチをさらに含むことを特徴とする、請求項１０に記載のトイレットペーパーディスペンサー。
【請求項１２】
制御装置が、モータが起動する間の間隔を調節するのに適したデュアルインラインパッケージスイッチをさらに含むことを特徴とする、請求項１０に記載のトイレットペーパーディスペンサー。
【請求項１３】
前面カバーが、ディスペンサーに抗微生物特性を提供するのに適した銅を含むことを特徴とする、請求項１０に記載のトイレットペーパーディスペンサー。
【請求項１４】
制御装置が、ネットワークにトイレットペーパーディスペンサーを接続するのに適したネットワークインターフェースカードを含むことを特徴とする、請求項１０に記載のトイレットペーパーディスペンサー。
【請求項１５】
前面カバーの開位置を検知するのに適した前面カバーセンサをさらに含み、前面カバーセンサは制御装置と通信し、前面カバーが開位置にあるとき、前面カバーセンサは制御装置へ信号を送信し、制御装置は、ネットワークに接続される装置により受信することができるサービス信号を、ネットワークを介して送信することを特徴とする、請求項１４に記載のトイレットペーパーディスペンサー。
【請求項１６】
紙製品ディスペンサーであって、該紙製品ディスペンサーが：
紙製品を分配するのに適したモータと；
制御装置と；
モータに接続されたパワーローラーと；
パワーローラーと向き合うアイドルローラーであって、紙製品がパワーローラーとアイドルローラーとの間を通るのに適した、アイドルローラーと；
パワーローラーの下に位置し、制御装置と通信する紙用センサであって、紙製品が紙用センサを通過したとき、紙用センサは紙製品の存在を検知し、紙製品が紙用センサを通過しないとき、紙用センサは紙製品の不足を検知し、制御装置へ信号を送信する、紙用センサと；
制御装置と通信し、ネットワークに紙製品ディスペンサーを接続するのに適した通信装置と、
を含むことを特徴とする、紙製品ディスペンサー。
【請求項１７】
制御装置と通信し、紙製品ディスペンサーに隣接する人間を検知するのに適したサーモパイルセンサをさらに含み、サーモパイルセンサが紙製品ディスペンサーに隣接する人間を検知するとき、制御装置へ信号を送信し、制御装置が信号を処理し、ネットワークへ送信される占有データを生成するために信号をコンパイルすることを特徴とする、請求項１６に記載の紙製品ディスペンサー。
【請求項１８】
前面カバーおよびメインシャシーをさらに含み、前面カバーおよびメインシャシーは、ディスペンサー、および前面カバーの開位置を検知するのに適した前面カバーセンサを囲み、前面カバーセンサは制御装置と通信し、前面カバーが開位置にあるとき、前面カバーセンサは制御装置へ信号を送信し、制御装置はネットワークに接続される装置により受信することができるサービス信号を、ネットワークを介して送信することを特徴とする、請求項１６に記載の紙製品ディスペンサー。
【請求項１９】
ＬＥＤをさらに含み、紙用センサが紙の不足を検知したとき、紙用センサは制御装置へ信号を送信し、制御装置は信号を受信した後にＬＥＤを起動することを特徴とする、請求項１６に記載の紙製品ディスペンサー。
【請求項２０】
バッテリーと；
バッテリーに接続されたバッテリーメーターと；
バッテリーメーターに接続されたＬＥＤであって、バッテリーメーターがＬＥＤにバッテリー状態信号を送信するように構成される、ＬＥＤと、
を含むことを特徴とする、請求項１６に記載の紙製品ディスペンサー。
【発明の詳細な説明】
【技術分野】
【０００１】
＜関連出願への相互参照＞
本出願は、２０１５年５月８日に出願された米国特許第１４／７０７，９６０号の優先権を主張し、その開示全体は、引用により本明細書に組み込まれる。
【０００２】
本開示は紙製品ディスペンサー、特に自動的でタッチレスな紙製品ディスペンサーに関する。
【背景技術】
【０００３】
既存のトイレットペーパーディスペンサーでは、トイレットペーパーが手動で分配される。これらのディスペンサーの使用者は、トイレットペーパーを裂くためにトイレットペーパーロールを保持しなければならない。細菌、バクテリアまたはウィルスなどの有害な微生物は、使用者の手からトイレットペーパーのロールに移る。使用者の手の水分もロールへと吸収される。トイレットペーパーのロールを使用する次の人は、有害な微生物を受け取る可能性がある。同じトイレットペーパーロールを使用した人の間で、有害な微生物が移る機会を減らすことが望ましい。
【０００４】
１９９４年５月１７日にＮｅｌｓｏｎに付与された特許文献１、１９７８年１月３１日にＳｔｏｎｅに付与された特許文献２、１９６９年６月１７日にＪ．Ｌ．Ｗｉｌｌｉａｍｓに付与された特許文献３、１９６７年５月２日にＥ．Ｊ．Ｓｕｍｍｅｒｓｂｙに付与された特許文献４、１９６７年１月１０日にＥ．Ｆ．ＭｃＧｒｅｗに付与された特許文献５、および１９６５年１月２６日にＭ．Ｒｏｚｌｏｇ  ｅｔ  ａｌに付与された特許文献６の全ては、トイレットペーパーを分配するために使用者がボタンを押す、単一のロールのトイレットペーパーディスペンサーを開示する。上の開示で公開されたディスペンサーの１つの欠点は、使用者がボタンを押さなければならないということであり、それによって、次にそれに触れる人達へ有害な微生物が運ばれ、感染する。
【０００５】
既存の紙製品ディスペンサーが持つ別の問題は、それらがメンテナンスのために自動的にモニタリングされないということである。紙を使い切ったとき、または紙製品ディスペンサーが故障したときに、利用者は保守員が紙を補充するか、またはディスペンサーを修理するのを待たなければならず、それにより長い中断時間を伴う可能性がある。トイレの個室は、中断時間期間中に使用不可能になる。別の問題は、分配されているトイレットペーパーの量を制限する機構が、それらにはないということである。一部の利用者はそれらを破壊したり、トイレットペーパーを無限に引き出すような悪ふざけをしたりして、トイレの至る所に汚染されたトイレットペーパーを散乱させる可能性がある。分配されているトイレットペーパーを制限する機構の不足は、トイレットペーパーが過剰に使用されること、トイレが詰まること、またはトイレットペーパーがすぐに尽きて追加の物資が要求されることを招く可能性がある。別の問題は、それらがトイレットペーパーの１つのロールしか備えられないということである。トイレットペーパーのロールが尽きたとき、トイレを使用している人は、使用するための予備のトイレットペーパーを持たない。
【０００６】
上記の問題および他の問題は、下に要約されるような開示によって対処される。
【先行技術文献】
【特許文献】
【０００７】
【特許文献１】米国特許第５，３１２，０２１号明細書
【特許文献２】米国特許第４，０７１，２００号明細書
【特許文献３】米国特許第３，４５０，３６３号明細書
【特許文献４】米国特許第３，３１７，１５０号明細書
【特許文献５】米国特許第３，２９７，２６９号明細書
【特許文献６】米国特許第３，１６７，２６７号明細書
【発明の概要】
【０００８】
本開示は、第１の紙製品を分配するのに適した第１のモータ、および第２の紙製品を分配するのに適した第２のモータを含む紙製品ディスペンサーに関する。第１のデュアルインラインパッケージ（ＤＩＰ）スイッチは第１の、および第２のモータと接続される。第１のＤＩＰスイッチは、第１のモータおよび第２のモータによって分配された紙の長さを調節するのに適している。第２のＤＩＰスイッチは、第１のおよび第２のモータとも接続される。第２のＤＩＰスイッチは第１のモータまたは第２のモータが起動する間の間隔を調節するのに適している。紙製品ディスペンサーは、分配された紙の量を測定し、かつ分配された紙の量があらかじめ決められた閾値に達するときに、停止信号を送信するように構成されたセンサも含む。センサと通信する制御装置が備えられ、それは停止信号を受けるのに適している。制御装置が、分配された第１の紙製品の量に関する停止信号を受信するとき、制御装置は第２のモータを起動する。制御装置が、分配された第２の紙製品の量に関する停止信号を受信するとき、制御装置は第１のモータを起動する。
【０００９】
紙製品ディスペンサーは、紙製品ディスペンサーをネットワークに接続するのに適した通信装置を含んでもよい。他の実施形態では、紙切れセンサは、制御装置と通信して提供され、それは紙の存在および不足を検知するのに適している。紙切れセンサが、紙が不足していることを検知するとき、紙切れセンサは制御装置へ信号を送る。制御装置は、ネットワークに接続される装置によって受信され得るサービス信号を、ネットワークを介して送信する。サーモパイルセンサも制御装置と通信して提供されてもよい。サーモパイルセンサは紙製品ディスペンサーに隣接する人間を検知するのに適している。サーモパイルセンサが人間を検知するとき、サーモパイルセンサは制御装置へ信号を送信する。制御装置は信号を処理し、ネットワークへ送信される占有データを生成するために、信号をコンパイルする。
【００１０】
紙製品ディスペンサーは、ディスペンサーを囲む前面カバーおよびメインシャシーをさらに含む。前面カバーセンサが備えられ、それは前面カバーの開位置を検知するのに適している。前面カバーセンサは、制御装置とも通信する。前面カバーが開位置にあるとき、前面カバーセンサは制御装置へ信号を送信する。制御装置は、ネットワークに接続されるあらゆる装置によって受信することができるサービス信号を、ネットワークを介して送信する。特定の実施形態では、紙製品ディスペンサーは、制御装置に接続され、ディスペンサーの状態の表示を提供するのに適したＬＥＤを含む。紙切れセンサが紙の不足を検知するとき、もしくは前面カバーが開位置にあるとき、またはバッテリーメーターがバッテリーパワーのあらかじめ決められた閾値を感知するとき、ＬＥＤが制御装置によって起動されてもよい。
【００１１】
本開示は、トイレットペーパーロールを保持し、分配するのに適したトイレットペーパー軸を含むトイレットペーパーディスペンサーにも関する。トイレットペーパーディスペンサーは、第１のおよび第２のペーパー軸に接続された少なくとも１つのモータ、およびモータに接続された制御装置を有する。赤外線センサは制御装置に接続され、動きを検知するのに適している。動きを検知した上で、赤外線センサが制御装置へ信号を送信する。制御装置は、トイレットペーパーロールからトイレットペーパーを分配するモータを起動させるのに適している。サーモパイルセンサは制御装置と通信し、トイレットペーパーディスペンサーに隣接する人間を検知する。サーモパイルセンサが人間を検知するとき、サーモパイルセンサは制御装置へ信号を送信する。トイレットペーパーディスペンサーはさらに、前面カバーおよびメインシャシーを有する。前面カバーとメインシャシーは、第１のおよび第２の軸、モータ、制御装置および赤外線センサを囲む、密閉された包囲体を形成する。メインシャシーは紙裁断機、および紙の通路を規定するベース部を含む。トイレットペーパーディスペンサーはさらに、前面カバーとメインシャシーとの間に、汚染物質からトイレットペーパーロールを保護するのに適した防水シールを含む。前面カバーは、銅または公知の抗微生物化合物などの抗菌剤を含む。トイレットペーパーディスペンサーは、モータによって分配されたトイレットペーパーの長さを調節するのに適したデュアルインラインパッケージスイッチ、およびモータが起動する間の間隔を調節するのに適したデュアルインラインパッケージスイッチを含んでもよい。
【００１２】
本開示はさらに、紙製品を分配するのに適したモータと制御装置とを含む紙製品ディスペンサーに関する。パワーローラーが、モータに接続される。アイドルローラーがパワーローラーと向き合い、紙製品はパワーローラーとアイドルローラーとの間を通るのに適している。紙用センサは、パワーローラーの下に位置し、制御装置と通信し、紙製品が紙用センサを通過するときに紙用センサは紙製品の存在を検知する。紙製品が紙用センサを通過しないとき、紙用センサは紙製品の不足を検知し、制御装置へ信号を送信する。通信装置は制御装置と通信し、それはネットワークに紙製品ディスペンサーを接続するのに適している。特定の実施形態では、回転センサはモータに接続され、分配された紙の量を測定し、分配された紙の量があらかじめ決められた閾値に達するとき、制御装置に紙切れの信号を送信するように構成される。制御装置が回転センサから紙切れの信号を受け取るとき、制御装置は、ネットワークに接続される装置によって受信することができるサービス信号を、ネットワークを介して送信する。
【図面の簡単な説明】
【００１３】
【図１】本開示のトイレットペーパーディスペンサーの実施形態の斜視分解組立図である。
【図２Ａ】前面カバーの外部の斜視図である。
【図２Ｂ】図２Ａの前面カバーの内部の斜視図である。
【図３】ともに取り付けられた前面カバーとパワーモジュールの内部の斜視図である。
【図４】回路基板とセンサを有するパワーモジュールの側面を示す、パワーモジュールの斜視図である。
【図５】パワーモジュールのモータ側面を示す、図４のパワーモジュールの斜視図である。
【図６】パワーモジュールのモータ側面を示す、パワーモジュールの正面図である。
【図７】パワーモジュールの変速機を示す、パワーモジュールの側面図である。
【図８】上部に配置されているメインシャシーの底面を含めた、メインシャシーの斜視図である。
【図９】メインシャシーの背面の斜視図である。
【図１０】ともに取り付けられたパワーモジュールとメインシャシーの平面図である。
【図１１】図１０の正面図である。
【図１２】図１０の底面図である。
【図１３】図１０の右側面図である。
【図１４】図１１の線（１４）側から見た断面視である。
【図１５】ともに取り付けられた前面カバー、パワーモジュールおよびメインシャシーを備えた、トイレットペーパーディスペンサーの実施形態の斜視図である。
【図１６】ディスペンサーの実施形態の電気に関するブロックダイアグラムである。
【図１７】遠隔式状態表示の実施形態の正面図である。
【発明を実施するための形態】
【００１４】
必要に応じて、本発明の詳細な実施形態は本明細書に開示されるが；開示された実施形態が、単に、様々な形態および代替的な形態で具体化されてもよい発明の模範にすぎないことが理解される。図面は、必ずしも一定の比率の縮尺ではなく；いくつかの特徴は、特定の構成要素の詳細を示すために誇張されてもよいし、最小化されてもよい。したがって、本明細書に開示された特定の構造かつ機能の詳細は、本発明を制限するものではなく、多様に使用するために、単に当業者に教示する代表的な根拠として解釈される。
【００１５】
本開示は紙製品ディスペンサーに関する。一実施形態では、紙製品ディスペンサーは、自動的に、タッチレスで、複数のトイレットペーパーのロールを備え、分配することができる。図１は、紙製品ディスペンサー（１８）の実施形態の斜視分解組立図である。紙製品ディスペンサー（１８）は、互いに接続される前面カバー（２０）、パワーモジュール（４０）、およびメインシャシー（６０）を有する。前面カバー（２０）は、非多孔質プラスチックまたは金属で作られてもよく、特定の装飾と思い通りに調和するように作られ得る装飾カバーである。前面カバー（２０）は、好ましくは、汚染に抵抗力のある非多孔質プラスチック材料または金属素材から組立てられる。前面カバー（２０）は、汚染を減らすために、ニッケル、およびステンレス鋼などの最終仕上げ（a final finish）と組み合わされてもよい、銅などの抗微生物表面でコーティングされる。前面カバー（２０）はさらに、内部機構を保護するシール、およびカバー内に備えられるトイレットペーパーロール（７１）、（７２）などの紙製品を含む。シールは、トイレが洗浄されるとき、または病院もしくは医療施設のトイレの汚染物を除去しているときなど、トイレットペーパーロールに着く可能性のある、汚染物、トイレはね、または水からの保護を提供する。前面カバーは、手動センサ（４３）のための開口部（２１）、および多色発行ダイオード（「ＬＥＤ」）（４４）の形態の通知光を規定する。特定の実施形態では、汚染から内部機構と紙製品を保護するために、開口部（２１）は、図２Ａで示されるブライユ点字カバー（２２）などのカバーによって覆われる。他の実施形態では、手動センサ（４３）およびＬＥＤ（４４）は、開口部（２１）のためのカバーとして役立つハウジング（２３）で包まれている。
【００１６】
中央の構成要素はパワーモジュール（４０）である。パワーモジュール（４０）は、取り付け位置（２６）に留め具を適用することにより、前面カバー（２０）に取り付けられる。通知ＬＥＤ（４４）および手動センサ（４３）は、パワーモジュール（４０）が前面カバー（２０）の開口部（２１）と位置合わせされる位置で、パワーモジュール（４０）に取り付けられている。通知ＬＥＤ（４４）は、前面カバー（２０）が適切に閉止されているか、およびディスペンサーを介して分配可能なトイレットペーパーがあるかどうか、バッテリーの状態などのディスペンサーの状態の表示を含む、様々な信号を提供する、光の表示を提供する。手動センサ（４３）は、トイレットペーパーの分配を要求するために、センサの前の手を振る動きを検知する。手動センサ（４３）が手の動きを検知するとき、それはトイレットペーパーを分配するモータを起動する。手動センサ（４３）は、好ましくは、赤外線センサである。駆動ギアボックス（５４）の１つは、パワーモジュール（４０）側で目視可能である。施錠ラッチ（４１）は、メインシャシー（６０）にパワーモジュール（４０）の頂部を取り付ける。パワーモジュール（４０）の底部は、メインシャシー（６０）の底にあるそれぞれのピボットピン（７８）に係合するのに適した１対のピボットピン保持器（７７）を含む。ピボットピン保持器（７７）は、前面カバー（２０）を開閉するために、パワーモジュール（４０）および前面カバー（２０）がメインシャシー（６０）と相対的に回転することを可能にする。パワーモジュール（４０）はさらに、制御装置（１００）および占有センサ（３９）が設置される回路基板（４２）を含む。占有センサ（３９）は開口部（２１）に向けられ、人体によりもたらされた局所的温度の変化を検知することにより、ディスペンサーの近くに人間がいることを検知する。占有センサ（３９）があらかじめ定められた閾値を越える局部温度の変化を検知するとき、占有センサ（３９）は制御装置（１００）へ信号を送信する。制御装置（１００）は、あらかじめ定められた時間に検知された占有回数を測定することができるように、受信した信号の数を集計する。占有センサ（３９）は，好ましくは、サーモパイルセンサである。サーモパイルセンサの感度は調整可能である。例えば、単に個室が使用されることで制御装置への適切な信号が生成されるように、トイレの個室の大きさが考慮され得る。
【００１７】
後部構成要素はメインシャシー（６０）である。図１では、２つのトイレットペーパーロール（７１）および（７２）が、メインシャシー（６０）に導入されていることが示される。トイレットペーパー（７１）および（７２）の各ロールは、それぞれのアイドルローラー（６９）および（７５）上で駆動される、ディスペンサーの外に出た、自由端部（７３）および（７４）をそれぞれ有する。バッテリー収納部（８０）は、ディスペンサーを動作させる電源としての機能を果たすバッテリーを収容する。様々な取り付け穴（６１Ａ−Ｂ）は、壁、またはトイレの個室の側面上にディスペンサーを取り付けることを可能にするために提供される。ディスペンサーの奥行寸法は、トイレットペーパー（７１）および（７２）のロールよりも、ほんの僅かに大きい。
【００１８】
図２Ａは、前面カバー（２０）の外部の斜視図である。開口部（２１）は、視覚障害者がディスペンサーを使用するときに触れるための点字の点の様式により表わされるいくつかの文字を有するブライユ点字カバー（２２）により、覆われてもよい。ブライユ点字カバー（２２）はＬＥＤ通知ウィンドウ（２３）としても役立ち、そこでは、動作誤差があるかどうか、トイレットペーパーの詰まり、バッテリーの状態、前面カバー（２０）は適切に閉止されているかどうか、およびトイレットペーパーロールのいずれかが空であるかどうかなどの、ディスペンサーの状態を示す様々な信号を、通知ＬＥＤ（４４）が表示する。他の実施例では、ブライユ点字カバー（２２）は開口部を覆われるために、プラスチックまたはガラスなどの透明カバー材料と取り替えられる。ブライユ点字文字の記号は、開口部（２１）とは異なる位置で、前面カバー（２０）に提供され、取り付けられてもよい。前面カバー（２０）の底は、トイレットペーパーの各ロールのための紙切断刃（２４）および（２５）を示す。
【００１９】
図２Ｂを参照して、前面カバー（２０）は、その底部の各側面上に１対の取り付けスロット（１４）および（１６）を規定する。パワーモジュール（４０）は、取り付け位置（２６）に留め具を取り付けることにより、前面カバー（２０）の内部に導入される。図３を参照して、パワーモジュール（４０）は、前面カバー（２０）にパワーモジュール（４０）をさらに固定するために、前面カバー（２０）上に位置するそれぞれの取り付けスロット（１４）および（１６）を介して挿入する、１対の取り付けピン（２７）および（２８）を有する。図４を参照して、前面カバー（２０）が閉止位置にあるとき、施錠ラッチ（４１）は、メインシャシー（６０）にパワーモジュール（４０）を固定する。パワーモジュール（４０）はさらに、制御装置（１００）が導入される回路基板（４２）を含む。回路基板（４２）は、ディスペンサーがネットワークインターフェースカードまたはＷｉ−Ｆｉアンテナなどのネットワークと通信することを可能にするために、通信装置を含む。一実施形態では、通信装置は、ディスペンサーの状態を提供するために、インターネットなどの通信網と通信することができるネットワークインターフェースカード（３５）（図５）である。例えば、ネットワークインターフェースカード（３５）は、トイレットペーパーの詰まり、バッテリーの状態、前面カバー（２０）が適切に閉止されているか、およびトイレットペーパーロールのいずれかが空であるかどうかなどの、動作誤差を知らせることができる。特定の実施形態では、各ディスペンサー（１８）は、シリアル番号などの、制御装置に保存された対応するあらかじめ定められた位置を有する固有識別子を有する。識別子は、施設管理者が各ディスペンサーの位置および状態を正確に知ることを可能にする。ネットワークインターフェースカード（３５）は、サーバーベースのクラウドアプリケーションと通信可能であるため、モバイルコンピューターまたはスマートフォンデバイスの使用者は、１つ以上のディスペンサーのサービスを受けるために、テキストまたは電子メールにより通知を受けることができる。ネットワークインターフェースカード（３５）は、占有センサ（３９）により検知されるように、個室に誰かがいること、および各個室が使用された回数も知らせることができる。ディスペンサーが導入される場合、この特徴は施設にセキュリティー上の利点を提供する。例えば、施設を閉じるとき、ディスペンサーは、隠れている人や意識消失している人など、トイレの個室に誰もいないことを確認するために使用することができる。次に、回路基板（４２）は、また前面カバー（２０）の位置を検知するために、二軸センサなどの傾斜センサ（３３）を含む。前面カバー（２０）およびパワーモジュール（４０）が互いに取り付けられているので、パワーモジュール（４０）は前面カバー（２０）と同じ位置にあると考えられる。傾斜センサ（３３）が、それ自体が水平軸上に位置することを感知するとき、前面カバー（２０）が開かれ、メインシャシー（６０）から分離されていることを示すオープンドア信号（open door signal）を、制御装置へ送信する。傾斜センサ（３３）が、それ自体が垂直軸上に位置することを感知する��き、前面カバー（２０）が閉められ、メインシャシー（６０）から固定されていることを示すクローズドア信号（close door signal）を、制御装置へ送信する。制御装置は、ネットワークインターフェースカード（３５）および通知ＬＥＤ（４４）にクローズドア信号およびオープンドア信号を送信する。
【００２０】
通知ＬＥＤ（４４）は、ディスペンサーの状態のローカルインジケーターとして役立つ。例えば、ＬＥＤ（４４）は、手が検知されたこと、およびトイレットペーパーが分配されていることを示す点滅する緑色の光、トイレットペーパーのロールが１つしかないときに２度点滅する黄色の光、および両方のロールがないときに赤色の光を表示することができる。ＬＥＤ（４４）は、バッテリーの状態についての情報も提供する。例えば、ＬＥＤ（４４）は、バッテリーが充電されることを示すための緑色の光、バッテリーが少ないとき（例えば、残り８０％）に１度点滅する黄色の光、およびバッテリーの交換が必要なとき（例えば、残り９０％）の赤色の光を表示することができる。前面カバー（２０）が開位置にあるとき、ＬＥＤ（４４）は赤色の光を表示することもできる。赤色ＬＥＤ光は、系統故障示すことができる。使用者がトイレットペーパーを要求するために、手をどこで振るべきか知ることができるように、ＬＥＤ（４４）は緑色の光を点滅させてもよい。点滅する緑色の光は、ロールがトイレットペーパーを有し、前面カバーが閉止されており、バッテリーが充電され、詰まりがなく、そしてトイレットペーパーが切断刃（２４）および（２５）を通じて供給されている、という良いディスペンサーの状態を示してもよい。
【００２１】
図５を参照して、デュアルインラインパッケージ（ＤＩＰ）スイッチ（４５）および（４６）はパワーモジュール（４０）の内部にある。遅延時間を設定するためのＤＩＰスイッチ（４５）および用紙長さ設定のためのＤＩＰスイッチ（４６）は、手動センサ（４３）および制御装置（１００）と共に動作する。ＤＩＰスイッチ（４６）は、手動センサ（４３）が手の動きを感知するごとに、分配されるトイレットペーパーの望ましい長さを調節する。ＤＩＰスイッチ（４５）は、感知間隔の間の望ましい遅延を調節する。一実施形態では、４つの遅延設定があり、それは、手動センサ（４３）が手の動きを感知する時間と、トイレットペーパーが分配される時間の間の時間を設定する。４つの遅延設定は、遅延なし、短い遅延（例えば２秒）、中程度の遅延（例えば４秒）、および長い遅延（例えば６秒）である。紙の長さを設定するためのＤＩＰスイッチ（４６）は、分配されるトイレットペーパーのあらかじめ定められた最大の長さを設定する。例えば、分配されたシートがディスペンサーから取り除かれる前に、８インチ、１６インチ、２４インチ、または連続的な分配（長さ限界はない）に設定することができる。実施例として、ディスペンサーが２４インチに設定される場合、手を振ることで、２４インチがディスペンサーから消費される。紙が床に触れて、汚染されるのを防止するために、トイレットペーパーが取り除かれるまで、または遅延時間設定のためにＤＩＰスイッチ（４５）に設定された遅延時間が経過するまで、それ以上手を振ったとしても、追加のトイレットペーパーは分配されない。遅延時間を設定するためのＤＩＰスイッチ（４５）は、トイレットペーパーを分配するために手を振る間、ディスペンサーが待つ時間を設定する。ＤＩＰスイッチ（４５）および（４６）は、制御装置（１００）に接続される。ＤＩＰスイッチ（４５）および（４６）の設定は、ファームウェアで調整可能である。
【００２２】
ディスペンサーの各側面は、それぞれのパワーローラー（５２）および（５５）を回すために、それぞれのギアボックス（５４）を駆動する、分離した駆動モータ（５０）および（５１）を有する。前面カバー（２０）が閉止されたとき、パワーローラー（５２）および（５５）は、それぞれのアイドルローラー（６９）および（７５）と向き合う（図１４）。トイレットペーパーの末端（７３）および（７４）は、それぞれのパワーローラー（５２）および（５５）と、それぞれのアイドルローラー（６９）および（７５）との間を通る。ＤＩＰスイッチを使用して設定されたトイレットペーパーの長さが既に分配された後、トイレットペーパーがロールから外れることを防止するために、トイレットペーパーの末端（７３）および（７４）はパワーローラーとアイドルローラーとの間ではさまれる。紙切れセンサ（５９）は各トイレットペーパーロールに対して提供され、それぞれのパワーローラー（５２）および（５５）の下に位置する。紙切れセンサ（５９）は、好ましくは光センサの形態である。紙切れセンサ（５９）は、その前にトイレットペーパーがあること検知する。紙切れセンサ（５９）が、センサ前のトイレットペーパーを検知しない場合、制御装置（１００）へ信号を送信し、この信号は、センサの真上にあるトイレットペーパーロールからトイレットペーパーが無くなったということ、または、トイレットペーパーが紙切れセンサ（５９）を通過しない程に紙切れセンサ（５９）上に詰まっていることを意味し得る。
【００２３】
パワーローラー（５２）および（５５）の下に、パワーモジュール（４０）に旋回可能に取り付けられている紙切断バー（８３）がある。トイレットペーパー末端（７３）および（７４）はそれぞれの紙切断バー（８３）へ接し、使用者により引かれ、それぞれの切断刃（２４）および（２５）により裂かれる。トイレットペーパー末端（７３）および（７５）が引かれるとともに、紙切断バー（８３）は、それぞれのマイクロスイッチ（８９）（図１４）に向かって回転し、それらを押す。新しい紙分配サイクルを始めるために、マイクロスイッチ（８９）は、制御装置（１００）へリセット信号を送信し、手動センサ（４３）が手の動きを感知するときに、ＤＩＰスイッチ設定（４６）を使用して特定された長さの新たなトイレットペーパーが分配される。
【００２４】
図６を参照して、モータ（５０）および（５１）は、トイレットペーパーロールを保持するモータのそれぞれの軸を駆動する。各モータ（５０）および（５１）は、変速機（５３）を収容する、モータのそれぞれのギアボックス（５１）および（５４）に接続される。図７では、各変速機（５３）は、それぞれのモータ（５０）および（５１）を駆動するために、互いの中で回転するいくつかのギヤ（５７）、（５８）および（６４）を含む。変速機（５３）は、モータに取り付けられたモータギヤ、パワーローラーの速度を落とすための１つ以上の減速ギヤ、およびトルクを増大するためにパワーローラーに取り付けられた出力ギヤを含む。
【００２５】
図８は、メインシャシー（６０）の下側に位置する隠れたリリースレバー（７９）を示すために上下逆さまに位置する、メインシャシー（６０）の正面を示す斜視図である。リリースレバー（７９）は、メインシャシー（６０）から前面カバー（２０）を解除する。メインシャシー（６０）のピボットピン（７８）は、前面カバー（２０）およびパワーモジュール（４０）が、メインシャシー（６０）のまわりで回転することを可能にするために、パワーモジュール（４０）のピボットピン保持器（７７）と係合する。ピボットピン（７８）の位置は、前面カバー（２０）が、勢いよく閉まることなく制御された方式で、回転し開くことを可能にする。トイレットペーパー（７１）の十分なロールが片側に備えられていることが示され、空の軸（７６）が他方に示される。ディスペンサーは、トイレットペーパーの芯を抜かれた、コンパクトな、およびコアレスなロールを供給することができる。軸（７６）は、複数のサイズを備えることが可能である。例えば、トイレットペーパーの芯を抜かれたロール、トイレットペーパーのコアレスなロール、またはトイレットペーパーのコンパクトなロールを提供することができる軸があってもよい。トイレットペーパーのロールを交換するとき、軸（７６）は軸スロット（４７）から取り出される。軸（７６）は、芯を抜かれた、またはコアレスなトイレットペーパーロールのロールへと挿入され、次に、軸スロット（４７）へと再び挿入される。図８は、メインシャシー（６０）の土台により規定された、１対の排出穴（８１）も示す。排出穴（８１）は随意であり、ほこり、およびトイレットペーパーロールから生じる不要な紙断片がディスペンサーから外へ出されること、およびディスペンサー内に蓄積しないことを可能にするように設計される。
【００２６】
図９は、メインシャシー（６０）の後部を示す斜視図である。メインシャシー（６０）は、壁か他の構造へディスペンサーを取り付けるための取り付け穴（６１Ａ−Ｄ）を規定する後部壁（４９）を含む。ディスペンサーは、後部壁（４９）に取付け穴（６１Ａ−Ｄ）を通って固定されることにより、垂直面壁か垂直平面に取り付けられるように構成される。代替的な取り付け穴（６２）が備えられ、一般に使用される壁に取り付けられた手動のトイレットペーパーホルダーと互換性をもつように意図される。手動のトイレットペーパーホルダーを本開示のディスペンサーに取り替えるとき、本開示のディスペンサーを取り付けるために、留め具が代替的な取り付け穴（６２）を介して挿入されてもよい。ガスケット（９５）は、トイレ洗浄または他のトイレ清掃から、ディスペンサーの内部を密閉するためにメインシャシー（６０）の後部壁（４９）を取り囲む。バッテリー収納部（８０）も示され、それは、好ましくは、４つの単１電池を収容する。これらのバッテリーは約１年間動作するのに十分な寿命を備える。
【００２７】
図１０−１３はそれぞれ、平面図、ともに取り付けられたメインシャシー（６０）およびパワーモジュール（４０）の正面図、底面図および側面図である。トイレットペーパー（７１Ａ）および（７１Ｂ）の２つのロールが、メインシャシー（６０）内に備えられる。施錠ラッチ（４１）は、メインシャシー（６０）にパワーモジュール（４０）を取り外し可能に取り付ける。手動センサ（４３）およびＬＥＤ（４４）は、回路基板（４２）の下に位置する。メインシャシー（６０）およびパワーモジュール（４０）が取り付けられるとき、トイレットペーパーの通路（８７）は、リリースレバー（７９）により分離されるディスペンサーの両側に形成される。トイレットペーパーの通路（８７）は、パワーモジュール（４０）（図６）の紙切断バー（８３）と、アイドルローラー（７５）に隣接するメインシャシー壁（８５）（図８）との間に形成される。トイレットペーパー末端（７３）および（７４）は、アイドルローラー（７５）と紙切断バー（８３）との間の小さなスリットを通り抜け、その後、それぞれのトイレットペーパーの通路（８７）を通り抜ける。前面カバー（２０）が閉まっているとき、前面カバー（２０）およびメインシャシー（６０）は、軸、モータ、制御装置、および手動センサなどの内部構成要素、ならびにトイレットペーパーを囲み、それらに行き着くまたは落ちる可能性がある空気中浮遊汚染物質から保護する。前面カバー（２０）およびメインシャシー（６０）は、トイレットペーパーの通路（８７）および排出穴（８１）を規定する下面を除く全ての側面から、ディスペンサーを密閉する、密閉された包囲体を形成する。
【００２８】
図１４は、図１１に引かれる線（１４）側から見た横断面図を示す。ロール（７１）からのトイレットペーパーの自由端部（７３）は、パワーローラー（５２）とアイドルローラー（７５）との間に供給される。ＤＩＰスイッチを使用して設定されたトイレットペーパーの長さが既に分配された後、トイレットペーパーがロールから外れることを防ぐために、自由端（７３）は、パワーローラー（５２）とアイドルローラー（７５）との間ではさまれる。アイドルローラー（７５）は、ばね仕掛けである。自由端部（７３）は、前にトイレットペーパーがあるということを検知する紙切れセンサ（５９）を通過する。紙切れセンサ（５９）が、その前のトイレットペーパーを検知しない場合、制御装置（１００）へ信号を送信する。信号は、トイレットペーパーがトイレットペーパーロール（７１）に無いことか、トイレットペーパーが紙切れセンサ（５９）を通過しないほどに紙切れセンサ（５９）の上に詰まっていることを意味する可能性がある。通知ＬＥＤ（４４）および手動センサ（４３）も示される。紙切れセンサ（５９）の１つが、その前のトイレットペーパーを検知しないとき、通知ＬＥＤ（４４）は黄色の光を点滅し、また、２つの紙切れセンサ（５９）の２つの紙切れセンサが、それらの前のトイレットペーパーを検知しないとき、通知ＬＥＤは赤灯を点滅する。自由端部（７３）は紙切断バー（８３）と隣接する。自由端部（７３）が斜めに引かれるとき、紙切断バーの末端の切断刃は、トイレットペーパーを切断し、また、紙切断バー（８３）はマイクロスイッチ（８９）に向かって回転し、押す。新しい紙の分配サイクルを始めるために、マイクロスイッチ（８９）は、制御装置（１００）へリセット信号を送信し、手動センサ（４３）が手の動きを感知するときに、ＤＩＰスイッチ設定（４６）を使用して特定された長さの新たなトイレットペーパーが分配される。
【００２９】
図１５は、開位置の前面カバー（２０）を備えたトイレットペーパーディスペンサーの斜視図を示す。トイレットペーパー（７１）は、軸スロットへと挿入された軸に配置される。トイレットペーパーの自由端部（７３）は、アイドルローラー（６９）上に供給される。パワーローラー（５２）は、分配されるトイレットペーパー（７１）を駆動する。回転センサ（５６）は、パワーローラー（５２）および（５５）の間に位置する。回転センサ（５６）は、各パワーローラー（５２）または（５５）の回転数を検知する。検知された回転数は、どれだけのトイレットペーパーが分配されたか、およびどれだけのトイレットペーパーがトイレットペーパーロール（７１）に残っているのかを計算するために使用される。例えば、全トイレットペーパーロールを分配するためのパワーローラー回転数がｘ回であると判断された場合、現在のパワーローラー回転数ｙは、ｘと比較される可能性がある。ｘがｙより大きい場合、それはトイレットペーパーがロール上にまだ存在することを意味する。ｙが、ｘに等しいか、ｘより大きい場合、トイレットペーパーは、これ以上ロール上に存在しない。リリースラッチ（４８）は、バッテリーの交換、ＤＩＰスイッチを使用する長さと遅延の設定の調節、およびトイレットペーパー（７１）の新しいロールの備え付けのために、メインシャシー（６０）からパワーモジュール（４０）が、部分的に分離されることを可能にする。ＤＩＰスイッチ設定において設定されるトイレットペーパーの長さを分配するために、回転センサ（５６）により検知される各パワーローラーの回転数も、制御装置により使用されてもよい。
【００３０】
図１６は、ディスペンサーの実施形態の電気に関するブロックダイアグラムを示す。バッテリー（９３）は、ディスペンサーの構成要素に電力を提供し、制御装置（１００）と通信するバッテリー管理回路（９０）に接続される。バッテリー管理回路（９０）は、どれだけのパワーがバッテリーに残るか検知し、制御装置にバッテリーの状態を伝える。特定の実施形態では、バッテリー管理回路（９０）は、バッテリーパワーが１０パーセントのときに制御装置へ信号を送るように設定される。手動センサ（４３）、占有センサ（３９）、傾斜センサ（３３）、紙切断バーマイクロスイッチ（８９）、および回転センサ（５６）は全て、制御装置（１００）に接続され、制御装置（１００）に信号を送信する。信号の入力の観点から、手動センサ（４３）は手の動きを検知し、制御装置（１００）へ信号を送る。占有センサ（３９）は、ディスペンサーの近くの使用者の存在を検知し、使用者を検知した上で制御装置へ信号を送る。傾斜センサ（３３）は、前面カバー（２０）の配向を検知し、その配向に依存して、前面カバーオープン信号または前面カバークローズ信号（a front cover open or front cover closed signal）を制御装置に送信する。紙切断バーマイクロスイッチ（８９）は、紙が引かれ、切断刃を使用して切断されたことを示す圧力を検知し、制御装置へ圧力信号を送信する。回転センサ（５６）は、パワーローラー（５２）および（５５）の回転数を検知し、この情報を制御装置（１００）へ送る。紙切れセンサ（５９）は、その前に紙が通過したことを検知し、この情報を制御装置（１００）へ送る。
【００３１】
出力側において、制御装置（１００）は、モータ（５０）および（５１）に接続され、制御装置が信号を処理した後、一度に１つのモータを起動する。例えば、制御装置が手動センサ（４３）から信号を受信するとき、空ではなく、詰まっていないトイレットペーパーロールに対応するモータ（５０）または（５１）だけを起動するために、紙切れセンサ（５９）からの信号を確認する。制御装置（１００）はさらに、起動させるモータに対応するトイレットペーパーロールが空ではないということを確実にするために、回転センサ（５６）からの信号を確認する。制御装置（１００）はさらに、前に分配された紙が取り除かれたことを確実にするために、紙切断バーマイクロスイッチ（８９）からの信号を確認する。
【００３２】
制御装置（１００）は、通知ＬＥＤ（４４）、ネットワークインターフェースカード（３５）、および図１７に示される遠隔状態ディスプレイ（９２）にも接続される。制御装置（１００）はバッテリー管理回路（９０）からの信号を使用して、バッテリー状態を確認する。例えば、バッテリー管理回路（９０）からの信号によって、制御装置（１００）は、ＬＥＤ（４４）にバッテリーが充電されることを示すために緑色の光を、バッテリーが少ないときに一度点滅する黄色の光を、およびバッテリーの交換が必要なときの赤色の光を表示させることができる。制御装置（１００）は、傾斜センサ（３３）を使用して、前面カバーの状態も確認する。前面カバー（２０）が開位置にあるとき、制御装置はＬＥＤ（４４）に赤色の光を表示させることができる。制御装置（１００）はまた、紙切れセンサ（５９）を確認し、ＬＥＤ（４４）に、ロールの１つにもはやトイレットペーパーがないときに２度点滅する黄色の光を、両方のロールが空のときに赤い光を表示させてもよい。
【００３３】
インターネットなどのネットワークに接続されるコンピューターおよびモバイル機器（９４）により、ディスペンサーに関係するデータがアクセスされ得るように、ネットワークインターフェースカード（３５）が制御装置（１００）と接続される。コンピューターとモバイル機器は、ユーザインターフェースを備えるソフトウェアかモバイルアプリケーションを含んでもよい。ユーザインターフェースは、各ディスペンサーのところに又はその近くに現在使用者がいるかどうか、どれだけの使用者が各ディスペンサーのところで又はその近くで検知されたか、および各ディスペンサーの各構成要素の状態がモニタリングされている異なるディスペンサーを示すことができてもよい。その状態は、各ディスペンサーのバッテリーがどれだけ充電されているか、各ディスペンサーの前面カバーの位置、および紙が紙切れセンサを通過しているかどうかを含んでもよい。ソフトウェアは、サービスを呼び出すようにプログラムされ、バッテリーまたはトイレットペーパーロールを交換する必要があるとき、前面カバーを閉止する必要があるとき、紙が紙切れセンサを通過しないとき、またはトイレットペーパーの詰まりを補修する必要があるときサービスアラートを送信してもよい。ソフトウェアはさらに、サービスアラートがＴｗｉｔｔｅｒなどのソーシャルメディアを介して送信される特徴を含んでもよい。サービスアラートはさらに、電子メールまたはテキストメッセージなどの様々な電子的なアウトレットを介して送信されてもよい。
【００３４】
図１７は、トイレへの入り口における流し台のボードなどの、トイレ内の目に見える位置へ取り付けることができる遠隔状態ディスプレイ（９２）を示す。遠隔状態ディスプレイ（９２）は、各ディスペンサーが設置される個室（９６）を特定する。各個室（９６）は、使用可能を示す光（９８）および使用不能を示す光（９９）を持つ。使用可能を示す光（９８）は、使用者が個室にいるかどうか示す。それは、個室に人が入っていない場合、緑の光を点滅させる。それは、個室が使用されている場合、赤色の光を点滅させる。使用不能を示す光（９９）は、次の状況の少なくとも１つが存在することを示す：前面カバーが開いている、トイレットペーパーロールの少なくとも１つが空である、バッテリーが十分に充電されていない、紙が紙切れセンサを通過しない。遠隔状態ディスプレイ（９２）は、制御装置（１００）と配線されてもよい。代替的に、それは、ネットワークインターフェースカード（３５）を介して制御装置（１００）に無線で接続されてもよい。個室の紙製作品ディスペンサーが適切に動作していることを確実にするために、遠隔状態ディスプレイ（９２）は、常連客と保安員に実用的なツールを提供する。それは、常連客のための使用可能な個室も特定する。
【００３５】
模範となる実施形態が上記されるが、これらの実施形態は、発明の全ての可能な形態を記載するということは意図していない。むしろ、本明細書で使用される用語は制限するための用語であるというよりも、むしろ説明するための用語であり、様々な変更が発明の趣旨および範囲から逸脱せずに実施されてもよいことが理解される。加えて、様々な実施される実施形態の特徴は、発明のさらなる実施形態を形成するために組み合わせられてもよい。
【図１】
2018516148.tif 000003
【図２Ａ】
2018516148.tif 000004
【図２Ｂ】
2018516148.tif 000005
【図３】
2018516148.tif 000006
【図４】
2018516148.tif 000007
【図５】
2018516148.tif 000008
【図６】
2018516148.tif 000009
【図７】
2018516148.tif 000010
【図８】
2018516148.tif 000011
【図９】
2018516148.tif 000012
【図１０】
2018516148.tif 000013
【図１１】
2018516148.tif 000014
【図１２】
2018516148.tif 000015
【図１３】
2018516148.tif 000016
【図１４】
2018516148.tif 000017
【図１５】
2018516148.tif 000018
【図１６】
2018516148.tif 000019
【図１７】
2018516148.tif 000020
【手続補正書】
【提出日】平成29年3月1日(2017.3.1)
【手続補正１】
【補正対象書類名】特許請求の範囲
【補正対象項目名】全文
【補正方法】変更
【補正の内容】
【特許請求の範囲】
【請求項１】
紙製品ディスペンサーであって、該紙製品ディスペンサーが、
第１の紙製品を分配するのに適した第１のモータと；
第２の紙製品を分配するのに適した第２のモータと；
第１のモータ、および第２のモータに接続された手動センサと；
第１のモータ、第２のモータ、および手動センサに接続された制御装置と；
第１のモータ、および第２のモータにより分配される紙製品の長さを調節するのに適した、制御装置に接続された第１のデュアルインラインパッケージスイッチであって、第１のデュアルインラインパッケージが複数の第１のスイッチを有し、各第１のスイッチが分配される紙製品の最大の長さを設定する特定の用紙長さ設定を有し、各第１のスイッチが制御装置に接続され、第１のスイッチの用紙長さ設定がファームウェアで調整可能である、第１のデュアルインラインパッケージスイッチと； 
制御装置に接続された第２のデュアルインラインパッケージスイッチであって、第２のデュアルインラインパッケージスイッチが複数の第２のスイッチを有し、各第２のスイッチは手動センサが手の動きを感知した時間と紙製品が分配される時間との間の時間を設定する遅延時間設定を有し、各第２のスイッチが制御装置に接続され、遅延時間設定がファームウェアで調整可能である、第２のデュアルインラインパッケージスイッチと、
を含むことを特徴とする、紙製品ディスペンサー。
【請求項２】
制御装置が、ネットワークに紙製品ディスペンサーを接続するのに適した通信装置を含むことを特徴とする、請求項１に記載の紙製品ディスペンサー。
【請求項３】
制御装置と通信し、紙の存在および不足を検知するのに適した紙切れセンサをさらに含み、紙切れセンサが紙の不足を検知するとき、制御装置へ信号を送信し、ネットワークに接続される装置により受信することができるサービス信号を、ネットワークを介して送信することを特徴とする、請求項２に記載の紙製品ディスペンサー。
【請求項４】
制御装置と通信し、紙製品ディスペンサーに隣接する人間を検知するのに適したサーモパイルセンサをさらに含み、サーモパイルセンサが人間を検知するとき、制御装置へ信号を送信し、制御装置は信号を処理し、ネットワークへ送信される占有データを生成するために信号をコンパイルすることを特徴とする、請求項２に記載の紙製品ディスペンサー。
【請求項５】
前面カバーおよびメインシャシーをさらに含み、前面カバーおよびメインシャシーは、ディスペンサーおよび前面カバーの開位置を検知するのに適した前面カバーセンサを囲み、前面カバーセンサは制御装置と通信し、前面カバーが開放位置にあるとき、前面カバーセンサは制御装置へ信号を送信し、制御装置はネットワークに接続されるデバイスにより受信することができるサービス信号を、ネットワークを介して送信することを特徴とする、請求項２に記載の紙製品ディスペンサー。
【請求項６】
制御装置に接続され、ディスペンサーの状態の表示を提供するのに適したＬＥＤをさらに含むことを特徴とする、請求項１に記載の紙製品ディスペンサー。
【請求項７】
制御装置と通信する紙切れセンサをさらに含み、紙切れセンサは紙の存在および不足を検知するのに適し、紙切れセンサが紙の不足を検知するとき制御装置へ信号を送信し、制御装置は信号を受信した後にＬＥＤを起動することを特徴とする、請求項６に記載の紙製品ディスペンサー。
【請求項８】
前面カバーおよびメインシャシーをさらに含み、前面カバーおよびメインシャシーは、ディスペンサー、および前面カバーの開位置を検知するのに適した前面カバーセンサを囲み、前面カバーセンサは制御装置と通信し、前面カバーが開位置にあるとき、前面カバーセンサは制御装置へ信号を送信し、制御装置は信号を受信した後にＬＥＤを起動することを特徴とする、請求項６に記載の紙製品ディスペンサー。
【請求項９】
バッテリーと；
バッテリー、制御装置、およびＬＥＤに接続されたバッテリーメーターであって、バッテリーメーターが、バッテリーのバッテリーパワーの量を測定するのに適し、バッテリーメーターがバッテリーパワーのあらかじめ決められた閾値を感知したとき、制御装置へ信号を送信し、制御装置は信号を受信した後にＬＥＤを起動する、バッテリーメーターと、
をさらに含むことを特徴とする、請求項６に記載の紙製品ディスペンサー。
【請求項１０】
トイレットペーパーディスペンサーであって、該トイレットペーパーディスペンサーが：
トイレットペーパーロールを保持し、分配するのに適したトイレットペーパー軸と；
トイレットペーパー軸に接続されたモータと；
モータに接続された制御装置と；
制御装置に接続され、動きを検知するのに適した赤外線センサであって、動きを検知すると、赤外線センサは制御装置へ信号を送信し、制御装置はトイレットペーパーロールからトイレットペーパーを分配するためにモータを起動するのに適した、赤外線センサと；
モータにより分配される紙製品の長さを調節するのに適した、制御装置に接続されたデュアルインラインパッケージスイッチであって、デュアルインラインパッケージスイッチが複数の構成要素スイッチを有し、各構成要素スイッチが分配される紙製品の最大の長さを設定する特定の用紙長さ設定を有し、各構成要素スイッチが制御装置に接続され、構成要素スイッチの用紙長さ設定がファームウェアで調整可能である、デュアルインラインパッケージスイッチと；
トイレットペーパーディスペンサーに隣接する人間を検知するのに適した制御装置と通信するサーモパイルセンサであって、サーモパイルセンサが人間を検知したとき、制御装置へ信号を送信する、サーモパイルセンサと、
前面カバーと；
メインシャシーであって、前面カバーおよびメインシャシーが、トイレットペーパーロール、モータ、制御装置、および赤外線センサを囲む、密閉された包囲体を形成し、メインシャシーが、紙裁断機、および紙の通路を規定するベース部を含む、メインシャシーと；
汚染物質からトイレットペーパーロールを保護するのに適した前面カバーとメインシャシーの間の防水シールと、
を含むことを特徴とする、トイレットペーパーディスペンサー。
【請求項１１】
制御装置が、モータが起動する間の間隔を調節するのに適したデュアルインラインパッケージスイッチをさらに含むことを特徴とする、請求項１０に記載のトイレットペーパーディスペンサー。
【請求項１２】
前面カバーが、ディスペンサーに抗微生物特性を提供するのに適した銅を含むことを特徴とする、請求項１０に記載のトイレットペーパーディスペンサー。
【請求項１３】
制御装置が、ネットワークにトイレットペーパーディスペンサーを接続するのに適したネットワークインターフェースカードを含むことを特徴とする、請求項１０に記載のトイレットペーパーディスペンサー。
【請求項１４】
前面カバーの開位置を検知するのに適した前面カバーセンサをさらに含み、前面カバーセンサは制御装置と通信し、前面カバーが開位置にあるとき、前面カバーセンサは制御装置へ信号を送信し、制御装置は、ネットワークに接続される装置により受信することができるサービス信号を、ネットワークを介して送信することを特徴とする、請求項１４に記載のトイレットペーパーディスペンサー。
【請求項１５】
紙製品ディスペンサーであって、該紙製品ディスペンサーが：
紙製品を分配するのに適したモータと；
制御装置と；
モータに接続されたパワーローラーと；
モータの起動時間を調節するのに適した、制御装置に接続されたデュアルインラインパッケージスイッチであって、デュアルインラインパッケージスイッチが複数の構成要素スイッチを有し、各構成要素スイッチがモータの最大の起動時間を設定する特定の起動時間設定を有し、各構成要素スイッチが制御装置に接続され、構成要素スイッチの起動時間設定がファームウェアで調整可能である、デュアルインラインパッケージスイッチと；
パワーローラーと向き合うアイドルローラーであって、紙製品がパワーローラーとアイドルローラーとの間を通るのに適した、アイドルローラーと；
パワーローラーの下に位置し、制御装置と通信する紙用センサであって、紙製品が紙用センサを通過したとき、紙用センサは紙製品の存在を検知し、紙製品が紙用センサを通過しないとき、紙用センサは紙製品の不足を検知し、制御装置へ信号を送信する、紙用センサと；
制御装置と通信し、ネットワークに紙製品ディスペンサーを接続するのに適した通信装置と、
を含むことを特徴とする、紙製品ディスペンサー。
【請求項１６】
制御装置と通信し、紙製品ディスペンサーに隣接する人間を検知するのに適したサーモパイルセンサをさらに含み、サーモパイルセンサが紙製品ディスペンサーに隣接する人間を検知するとき、制御装置へ信号を送信し、制御装置が信号を処理し、ネットワークへ送信される占有データを生成するために信号をコンパイルすることを特徴とする、請求項１５に記載の紙製品ディスペンサー。
【請求項１７】
前面カバーおよびメインシャシーをさらに含み、前面カバーおよびメインシャシーは、ディスペンサー、および前面カバーの開位置を検知するのに適した前面カバーセンサを囲み、前面カバーセンサは制御装置と通信し、前面カバーが開位置にあるとき、前面カバーセンサは制御装置へ信号を送信し、制御装置はネットワークに接続される装置により受信することができるサービス信号を、ネットワークを介して送信することを特徴とする、請求項１５に記載の紙製品ディスペンサー。
【請求項１８】
ＬＥＤをさらに含み、紙用センサが紙の不足を検知したとき、紙用センサは制御装置へ信号を送信し、制御装置は信号を受信した後にＬＥＤを起動することを特徴とする、請求項１５に記載の紙製品ディスペンサー。
【請求項１９】
バッテリーと；
バッテリーに接続されたバッテリーメーターと；
バッテリーメーターに接続されたＬＥＤであって、バッテリーメーターがＬＥＤにバッテリー状態信号を送信するように構成される、ＬＥＤと、
を含むことを特徴とする、請求項１５に記載の紙製品ディスペンサー。
【国際調査報告】
2018516148.tif 000021
2018516148.tif 000022
2018516148.tif 000023
2018516148.tif 000024